(57)【要約】      （修正有）【課題】極めて簡素な構成により、パン機構およびチルト機構を共通に設け、コンパクト化、省スペース化および製造コストの軽減を図ることができる、ディスプレイ角度調整機構を提供する。【解決手段】ディスプレイ角度調整機構１００は、結合部材１６０の内側で第３のかさ歯車１５２を第１のかさ歯車１３２および第２のかさ歯車１４２に咬合した状態で、第１の回転軸部１３０、第２の回転軸部１４０および第３の回転軸部１５０を、それぞれ回転可能に連結し、第１のかさ歯車１３２と第２のかさ歯車１４２の動作に連動する第３のかさ歯車１５２に従って第３の回転軸部１５０に取り付けられたディスプレイ装置１７０をパン動作またはチルト動作させる。【選択図】図１
0003142470.tif 000002
【実用新案登録請求の範囲】
【請求項１】
第１の駆動部と、
当該第１の駆動部に取り付けられ、当該第１の駆動部の動作に従って軸が回転する第１の回転軸部と、
当該第１の回転軸部の先端部に取り付けられた第１のかさ歯車と、
第２の駆動部と、
当該第２の駆動部に取り付けられ、当該第２の駆動部の動作に従って軸が回転する第２の回転軸部と、
当該第２の回転軸部の先端部に取り付けられた第２のかさ歯車と、
ディスプレイ装置の所定位置に末端部が取り付けられた第３の回転軸部と、
当該第３の回転軸部の先端部に取り付けられた第３のかさ歯車と、
当該第３のかさ歯車を前記第１のかさ歯車および前記第２のかさ歯車に咬合した状態で、前記第１の回転軸部、前記第２の回転軸部および第３の回転軸部を、それぞれ回転可能に連結する結合部材とを備え、
前記第１のかさ歯車と前記第２のかさ歯車の動作に連動する前記第３のかさ歯車に従って前記第３の回転軸部に取り付けられた前記ディスプレイ装置はパン動作またはチルト動作することを特徴とするディスプレイ角度調整機構。
【請求項２】
前記第１の駆動部および前記第２の駆動部は、当該第１の駆動部および第２の駆動部に接続された制御回路からパン動作させる制御信号を受け、これに従って、前記第１の回転軸部および前記第２の回転軸部の軸は、それぞれ相互に逆方向でかつ同じ回転数に回転し、
前記第３の回転軸部は、前記第１のかさ歯車と前記第２のかさ歯車の動作に連動する前記第３のかさ歯車に従ってパン動作することを特徴とする請求項１に記載のディスプレイ角度調整機構。
【請求項３】
前記第１の駆動部および前記第２の駆動部は、当該第１の駆動部および第２の駆動部に接続された制御回路からチルト動作させる制御信号を受け、これに従って、前記第１の回転軸部および前記第２の回転軸部の軸は、それぞれ相互に同方向でかつ同じ回転数に回転し、
前記第３の回転軸部は、前記第１のかさ歯車と前記第２のかさ歯車の動作に連動する前記第３のかさ歯車に従ってチルト動作することを特徴とする請求項１に記載のディスプレイ角度調整機構。
【請求項４】
前記結合部材は、その内部において、前記第３のかさ歯車を、前記第１のかさ歯車および前記第２のかさ歯車と直交方向に咬合させ、前記第１のかさ歯車および前記第２のかさ歯車を離間して対向させ、それぞれの軸の回転に従って前記第１のかさ歯車、前記第２のかさ歯車および前記第３のかさ歯車を回転可能に連結することを特徴とする請求項請求項１乃至３の何れかに記載のディスプレイ角度調整機構。
【請求項５】
前記第１の駆動部および前記第２の駆動部は、電動モータと、複数の歯車を有する減速機構とから構成されたことを特徴とする請求項１乃至４の何れかに記載のディスプレイ角度調整機構。
【考案の詳細な説明】
【技術分野】
【０００１】
本考案は、CRT（Cathode Ray Tube）ディスプレイ、液晶ディスプレイ、プラズマディスプレイまたは映像を表示する機能を有するその他のディスプレイ装置（以下、ディスプレイ装置という）を電動により角度調整するディスプレイ角度調整機構に関する。
【背景技術】
【０００２】
ディスプレイ装置を電動により角度調整するディスプレイ角度調整機構としては、例えば、下記特許文献１に示されたものが知られている。下記特許文献１のディスプレイ角度調整機構は、ディスプレイ装置を左右方向へパン動作させるパン機構と、ディスプレイ装置を前後方向へチルト動作させるチルト機構とにより構成されている。パン機構は、図８および図９に示すように、円形台座７の外周に多数の鋼球９を介して回転自在に嵌合された円周枠１０と、円周枠１０の上部に固定された回転台１１とを有する。円形台座７の内部には周縁に接近した位置に電動モータ１２が備えられ、電動モータの１２の出力軸には小径ギア１３が結合されている。また、回転台１１には大径ギア１４が内蔵され、大径ギア１４と電動モータ１２の出力軸の小径ギア１３とを歯合した構成により、回転台１１を回転可能にし、ディスプレイ装置１を左右方向へパン動作させる。
【０００３】
一方、チルト機構は、図８および図１０に示すように、支持枠２２に固設された軸受け２５によりディスプレイ装置１の背面に固定された支持プレート２６の支持アーム２７が回転自在に軸支されている。また、支持枠２２には、減速機３０および電動モータ３１が備えられ、減速機３０の出力軸に結合された回転アーム３２と支持プレート２６に回転自在に結合された連結アーム３３とを軸３４で回転自在に結合し、ディスプレイ装置１を前後方向へチルト動作させる。
【０００４】
このような構成によれば、ディスプレイ装置の表示画面を見る人は、コントローラ等を用いてパン機構またはチルト機構に備えられたそれぞれの電動モータを駆動させ、ディスプレイ装置を電動により角度調整して自分が見やすい正常な視覚方向を得ることができる。
【特許文献１】特開２００４−２５８０５５号公報
【考案の開示】
【考案が解決しようとする課題】
【０００５】
しかしながら、上記ディスプレイ角度調整機構は、パン機構およびチルト機構がそれぞれ独立に設けられており、また、各機構の構成部材も多い。このため、ディスプレイ角度調整機構のコンパクト化、省スペース化および製造コストの軽減を図ることが困難であるという問題がある。
【０００６】
このような問題に着目し、本考案は、極めて簡素な構成により、パン機構およびチルト機構を共通に設け、コンパクト化、省スペース化および製造コストの軽減を図ることができる、ディスプレイ角度調整機構を提供することを目的とする。
【課題を解決するための手段】
【０００７】
本考案のディスプレイ角度調整機構は、第１の駆動部と、当該第１の駆動部に取り付けられ、当該第１の駆動部の動作に従って軸が回転する第１の回転軸部と、当該第１の回転軸部の先端部に取り付けられた第１のかさ歯車と、第２の駆動部と、当該第２の駆動部に取り付けられ、当該第２の駆動部の動作に従って軸が回転する第２の回転軸部と、当該第２の回転軸部の先端部に取り付けられた第２のかさ歯車と、ディスプレイ装置の所定位置に末端部が取り付けられた第３の回転軸部と、当該第３の回転軸部の先端部に取り付けられた第３のかさ歯車と、当該第３のかさ歯車を前記第１のかさ歯車および前記第２のかさ歯車に咬合した状態で、前記第１の回転軸部、前記第２の回転軸部および第３の回転軸部を、それぞれ回転可能に連結する結合部材とを備え、前記第１のかさ歯車と前記第２のかさ歯車の動作に連動する前記第３のかさ歯車に従って前記第３の回転軸部に取り付けられた前記ディスプレイ装置はパン動作またはチルト動作することを特徴とする。
【考案の効果】
【０００８】
このような構成を備えたディスプレイ角度調整機構によれば、パン機構およびチルト機構をそれぞれ独立に設けることなく、極めて簡素な構成により、パン機構およびチルト機構を共通に設け、コンパクト化、省スペース化および製造コストの軽減を図ることができる。
【考案を実施するための最良の形態】
【０００９】
以下、本考案を実施するための最良の形態を説明する。
図１は本考案の一実施の形態に係るディスプレイ角度調整機構を示した斜視図であり、図２はその正面図である。ディスプレイ角度調整機構１００は、図１および図２に示すように、その主要な構成として、第１の駆動部１１０、第２の駆動部１２０、第１の回転軸部１３０、第２の回転軸部１４０、第３の回転軸部１５０を備え、これらがパン機構およびチルト機構として機能する。以下、各構成について具体的に説明する。
【００１０】
第１の駆動部１１０は、第１の回転軸部１３０の軸１３１を回転させる駆動機構である。第１の駆動部１１０は、電動モータ１１１と、複数の歯車を有する減速機構１１２〜１１５とから構成されている。電動モータ１１１は、正逆両方向の回転が可能な電動式のモータであり、電動モータ１１１に接続された制御回路（図示しない）から入力される制御信号に従って動作する。また、減速機構１１２〜１１５は、図１に示すように、ウォーム１１２は第１ギアの下歯車１１３ａと係合され、第１ギアの上歯車１１３ｂは第２ギア１１４の歯車と係合され、第２ギア１１４は第３ギア１１５の歯車と係合され、第３ギア１１５は出力用歯車として、その中心位置に第１の回転軸部１３０の軸１３１が取り付けられている。ウォーム１１２、第１ギア１１３、第２ギア１１４、第３ギア１１５は、金属やプラスチック等の材料からなる。このように構成された第１の駆動部１１０は、電動モータ１１１の動作に従って得られた動力を、ウォーム１１２、第１ギア１１３、第２ギア１１４、第３ギア１１５を介して第１の回転軸部１３０の軸１３１に伝達し、これにより軸１３１を所定の速度で回転させることができる。一方、第２の駆動部１２０は、第２の回転軸部１４０の軸１４１を回転させる駆動機構であり、第１の駆動部１１０と同様、電動モータ１２１と、複数の歯車を有する減速機構１２２〜１２５とから構成され、電動モータ１２１の動作に従って得られた動力を、ウォーム１２２、第１ギア１２３、第２ギア１２４、第３ギア１２５を介して第２の回転軸部１４０の軸１４１に伝達し、これにより軸１４１を所定の速度で回転させることができる。
【００１１】
第１の回転軸部１３０は、その末端部が第１の駆動部１１０の出力用歯車（第３ギア１１５）の中心位置に取り付けられ、出力用歯車の回転と同方向に軸１３１が回転する。一方、その先端部には第１のかさ歯車１３２が取り付けられている。かさ歯車は、相互に交わる二軸間において一方の軸から他方の軸へ回転運動を伝達する円すい形の歯車であり、すぐばかさ歯車、はすばかさ歯車、ゼロールかさ歯車等の他、かさ歯車に類似する形状のものを含む。一方、第２の回転軸部１４０は、第１の回転軸部１３０と同様、その末端部が第２の駆動部１２０の出力用歯車（第３ギア１２５）の中心位置に取り付けられ、その先端部には第２のかさ歯車１４２が取り付けられている。
【００１２】
第３の回転軸部１５０は、その末端部がディスプレイ装置１７０の下側面部の略中心位置に取り付けられ、その取り付け位置から軸１５１が直角方向へ伸びて設けられ、軸１５１によりディスプレイ装置１７０が支持されている。また、第３の回転軸部１５０は、その先端部に第３のかさ歯車１５２が取り付けられ、第３のかさ歯車１５２は、第１のかさ歯車１３２および第２のかさ歯車１４２にそれぞれ咬合する形状に形成されている。
【００１３】
このように構成された第１の回転軸部１３０、第２の回転軸部１４０および第３の回転軸部１５０は、結合部材１６０により連結される。結合部材１６０は、断面略コ字状に形成されたフレーム部材であり、各側面に第１の貫通孔１６１、第２の貫通孔１６２、第３の貫通孔１６３を有している。図１および図２に示すように、軸１３１，１４１，１５１は、それぞれ第１の貫通孔１６１、第２の貫通孔１６２、第３の貫通孔１６３に通されている。この状態において結合部材１６０は、その内部において、第３のかさ歯車１５２を、第１のかさ歯車１３２および第２のかさ歯車１４２と直交方向に咬合させ、第１のかさ歯車１３２および第２のかさ歯車１４２を離間して対向させ、それぞれの軸１３１，１４１，１５１の回転に従って、第１のかさ歯車１３２、第２のかさ歯車１４２および第３のかさ歯車１５２を回転可能に連結している。
【００１４】
なお、特に図示していないが、ディスプレイ角度調整機構１００は、その他の構成として、遠隔コントローラや有線コントローラ等から送られるパン動作またはチルト動作の命令を制御回路に入力するインターフェースや、家庭用電源等から簡単に電源供給できるＡＣアダプタ等が備えられている。
【００１５】
以下、ディスプレイ装置１７０を電動により角度調整する際のディスプレイ角度調整機構１００の動作について説明する。図３は、ディスプレイ装置１７０の表示画面１７１を図の正面から見て右方向へパン動作させる際の第１の回転軸部１３０および第２の回転軸部１４０の軸回転方向を示した図である。利用者は、遠隔コントローラや有線コントローラ等を用いてディスプレイ装置１７０の表示画面１７１を右方向へパン動作させる命令をディスプレイ角度調整機構１００の制御回路に対して行うと、制御回路は、第１の駆動部１１０および第２の駆動部１２０に対して、これに対応する制御信号を入力する。右方向へパン動作させる制御信号の入力に従って、第１の駆動部１１０は、電動モータ１１１と、減速機構に備えられた複数の歯車１１２〜１１５を介して、第１の回転軸部１３０の軸１３１を反時計回りの方向に回転させる。一方、第２の駆動部１２０は、電動モータ１２１と、減速機構に備えられた複数の歯車１２２〜１２５とを介して、第２の回転軸部１４０の軸１４１を時計回りの方向に回転させる。これに従って第１の回転軸部１３０の軸１３１および第２の回転軸部１４０の軸１４１は、相互に逆方向でかつ同じ回転数で回転する。この時、第１のかさ歯車１３２に働く反時計回りの方向の回転力および第２のかさ歯車１４２に働く時計回りの方向の回転力により、相対的に第３のかさ歯車１５２を回転させ、第３のかさ歯車１５２に支持されたディスプレイ装置１７０の表示画面１７１は、第３の回転軸部１５０の軸１５１を中心として、右方向へパン動作する。
【００１６】
図４は、ディスプレイ装置１７０の表示画面１７１を図の正面から見て左方向へパン動作させる際の第１の回転軸部１３０および第２の回転軸部１４０の軸回転方向を示した図である。これは、上記と逆の動作によりなされる。すなわち、左方向へパン動作させる制御信号の入力に従って、第１の駆動部１１０は、電動モータ１１１と、減速機構に備えられた複数の歯車１１２〜１１５を介して、第１の回転軸部１３０の軸１３１を時計回りの方向に回転させる。一方、第２の駆動部１２０は、電動モータ１２１と、減速機構に備えられた複数の歯車１２２〜１２５とを介して、第２の回転軸部１４０の軸１４１を反時計回りの方向に回転させる。これに従って第１の回転軸部１３０の軸１３１および第２の回転軸部１４０の軸１４１は、相互に逆方向でかつ同じ回転数で回転する。この時、第１のかさ歯車１３２に働く時計回りの方向の回転力および第２のかさ歯車１４２に働く反時計回りの方向の回転力により、相対的に第３のかさ歯車１５２を回転させ、第３のかさ歯車１５２に支持されたディスプレイ装置１７０の表示画面１７１は、第３の回転軸部１５０の軸１５１を中心として、左方向へパン動作する。
【００１７】
図５は、ディスプレイ装置１７０の表示画面１７１を図の正面から見て前方向へチルト動作させる際の第１の回転軸部１３０および第２の回転軸部１４０の軸回転方向を示した図である。前方向へチルト動作させる制御信号の入力に従って、第１の駆動部１１０は、電動モータ１１１と、減速機構に備えられた複数の歯車１１２〜１１５を介して、第１の回転軸部１３０の軸１３１を時計回りの方向に回転させる。一方、第２の駆動部１２０も、電動モータ１２１と、減速機構に備えられた複数の歯車１２２〜１２５とを介して、第２の回転軸部１４０の軸１４１を時計回りの方向に回転させる。これに従って第１の回転軸部１３０の軸１３１および第２の回転軸部１４０の軸１４１は、相互に同方向でかつ同じ回転数で回転する。この時、第１のかさ歯車１３２および第２のかさ歯車１４２に働く時計回りの方向の回転力により、第３のかさ歯車１５２は回転せず、第３のかさ歯車１５２に支持されたディスプレイ装置１７０の表示画面１７１は前方向へチルト動作する。
【００１８】
図６は、ディスプレイ装置１７０の表示画面１７１を図の正面から見て後方向へチルト動作させる際の第１の回転軸部１３０および第２の回転軸部１４０の軸回転方向を示した図である。これは、上記と逆の動作によりなされる。すなわち、後方向へチルト動作させる制御信号の入力に従って、第１の駆動部１１０は、電動モータ１１１と、減速機構に備えられた複数の歯車１１２〜１１５とを介して、第１の回転軸部１３０の軸１３１を反時計回りの方向に回転させる。一方、第２の駆動部１２０も、電動モータ１２１と、減速機構に備えられた複数の歯車１２２〜１２５とを介して、第２の回転軸部１４０の軸１４１を反時計回りの方向に回転させる。これに従って第１の回転軸部１３０の軸１３１および第２の回転軸部１４０の軸１４１は、相互に同方向でかつ同じ回転数で回転する。この時、第１のかさ歯車１３２および第２のかさ歯車１４２に働く反時計回りの方向の回転力により、第３のかさ歯車１５２は回転せず、第３のかさ歯車１５２に支持されたディスプレイ装置１７０の表示画面１７１は後方向へチルト動作する。
【００１９】
図７は、本考案の一実施の形態に係るディスプレイ角度調整機構１００の一設置例を示した図であり、天井に設置されたディスプレイ装置１７０をパン、チルト動作する。図７（ａ）は閉じた状態、図７（ｂ）はチルト動作を行った状態、図７（ｃ）は９０度のチルト動作を行った後、パン動作を行った状態、図７（ｄ）は、９０度のチルト動作を行った後、１８０度のパン動作（ターン）を行った状態を示している。
【００２０】
以上、本考案の一実施の形態に係るディスプレイ角度調整機構について説明したが、本考案は上記説明の範囲に限定されるものではなく、その要旨を脱しない範囲で適宜設計が可能である。例えば、第１の駆動部１１０および第２の駆動部１２０の減速機構は、図示した構成に限定されるものではなく、電動モータ１１１，１２１で得られる動力を第１の回転軸部１３０および第２の回転軸部１４０の軸１３１，１４１に伝達して軸１３１，１４１を回転させることができれば良く、適宜に設計が可能である。また、第３の回転軸部１５０のディスプレイ装置１７０への取付位置は、図示した位置に限定されるものではなく、ディスプレイ装置１７０の上下左右側面部、正面部、背面部の何れでも良く、適宜に設計が可能である。また、その取付手段も、着脱可能または一体成形の何れでも良く、適宜に設計が可能である。さらに、第１の回転軸部１３０、第２の回転軸部１４０および第３の回転軸部１５０は、図示した配置関係に限定されるものではない。すなわち、それぞれの軸１３１，１４１，１５１の回転に従って、第１のかさ歯車１３２、第２のかさ歯車１４２および第３のかさ歯車１５２を回転可能に連結するものであれば良く、結合部材１６０の内側において、第３のかさ歯車１５２が第１のかさ歯車１３２および第２のかさ歯車１４２と直交方向ではない方向で咬合し、第１のかさ歯車１３２および第２のかさ歯車１４２を対向させなくても良く、それに応じたかさ歯車や結合部材は、適宜に設計が可能である。
【図面の簡単な説明】
【００２１】
【図１】本考案の一実施の形態に係るディスプレイ角度調整機構を示した斜視図
【図２】本考案の一実施の形態に係るディスプレイ角度調整機構を示した平面図
【図３】ディスプレイ装置の表示画面を右方向へパン動作させる際の各回転軸部の回転方向を示した図
【図４】ディスプレイ装置の表示画面を左方向へパン動作させる際の各回転軸部の回転方向を示した図
【図５】ディスプレイ装置の表示画面を前方向へチルト動作させる際の各回転軸部の回転方向を示した図
【図６】ディスプレイ装置の表示画面を後方向へチルト動作させる際の各回転軸部の回転方向を示した図
【図７】本考案の一実施の形態に係るディスプレイ角度調整機構の一設置例を示した図
【図８】従来のディスプレイ角度調整機構を示した斜視図
【図９】従来のディスプレイ角度調整機構のパン機構について説明する図
【図１０】従来ディスプレイ角度調整機構のチルト機構について説明する図
【符号の説明】
【００２２】
１００  ディスプレイ角度調整機構
１１０  第１の駆動部
１１１  電動モータ
１１２  ウォーム
１１３  第１ギア
１１４  第２ギア
１１５  第３ギア
１２０  第２の駆動部
１２１  電動モータ
１２２  ウォーム
１２３  第１ギア
１２４  第２ギア
１２５  第３ギア
１３０  第１の回転軸部
１３１  軸
１３２  第１のかさ歯車
１４０  第２の回転軸部
１４１  軸
１４２  第２のかさ歯車
１５０  第３の回転軸部
１５１  軸
１５２  第３のかさ歯車
１６０  結合部材
１６１  第１の貫通孔
１６２  第２の貫通孔
１６３  第３の貫通孔
１７０  ディスプレイ装置
１７１  表示画面
【図１】
0003142470.tif 000003
【図２】
0003142470.tif 000004
【図３】
0003142470.tif 000005
【図４】
0003142470.tif 000006
【図５】
0003142470.tif 000007
【図６】
0003142470.tif 000008
【図７】
0003142470.tif 000009
【図８】
0003142470.tif 000010
【図９】
0003142470.tif 000011
【図１０】
0003142470.tif 000012